(57)【要約】本発明は、装置サイズのコンパクト化、容量の拡張性の確保、メンテナンス性の向上などを満たす高記憶容量の光情報記憶装置および光情報記憶システムを提供することを目的とし、ブレード筐体１１内に、前記光記憶媒体が複数格納された媒体格納部１２と、前記光記憶媒体に対して情報の記録及び又は再生を行う記録再生部１６と、それら媒体格納部１２と記録再生部１６との相互間で光記憶媒体を移動させる媒体移動部１５が一列に配置されて一体に保持されており、システム筐体に着脱自在な接続部１７ａを備えていることを特徴とする。
2004090884.tif 000002
【特許請求の範囲】
【請求項１】
情報の記録および再生が可能な、光によって少なくとも情報再生が行われるディスク状の光記憶媒体が複数格納された媒体格納部と、前記光記憶媒体に対して情報の記録及び又は再生を行う記録再生部と、前記媒体格納部と前記記録再生部との相互間で前記光記憶媒体を移動させる媒体移動部と、前記媒体格納部、前記媒体移動部、および前記記録再生部が内部に一列に配置され、それら媒体格納部、媒体移動部、および記録再生部を一体に保持するブレード筐体とをそれぞれが備えた複数の光情報記憶装置と、
前記複数の光情報記憶装置が実装されるとともに、それら複数の光情報記憶装置を着脱自在に保持するシステム筐体と、
前記システム筐体に実装された複数の光情報記憶装置それぞれにおける情報の記録及び又は再生を統括する統括部とを備えたことを特徴とする光情報記憶システム。
【請求項２】
前記統括部が、前記複数の光情報記憶装置に対して情報を分散記憶させるものであることを特徴とする請求項１記載の光情報記憶システム。
【請求項３】
前記統括部が、前記複数の光情報記憶装置に対して情報を分散記憶させるとともに、該複数の光情報記憶装置のうちの１つ以上の光情報記憶装置には該情報に対する冗長情報を記録させ、分散記憶させた情報の再生時に情報欠落が生じた場合に前記冗長情報に基づいて該情報を復元するものであることを特徴とする請求項１記載の光情報記憶システム。
【請求項４】
前記統括部が、前記複数の光情報記憶装置のうちの少なくとも１つを予備として管理し、該予備の光情報記憶装置以外の光情報記憶装置に故障が生じた場合に、故障が生じた光情報記憶装置に替えてその予備の光情報記憶装置を用いるものであることを特徴とする請求項１記載の光情報記憶システム。
【請求項５】
前記光情報記憶装置の光記憶媒体に対して入出力される情報を伝達する伝達路と、
前記光情報記憶装置の記録再生部と前記伝達路との間で前記情報を一時的に保存する、前記伝達路による情報の伝達速度よりも速い速度で情報を入出力するバッファとを備えたことを特徴とする請求項１記載の光情報記憶システム。
【請求項６】
情報の記録および再生が可能な、光によって少なくとも情報再生が行われるディスク状の光記憶媒体に対して情報の記録及び又は再生を行う光情報記憶装置であって、
前記光記憶媒体が複数格納された媒体格納部と、
前記光記憶媒体に対して情報の記録及び又は再生を行う記録再生部と、
前記媒体格納部と前記記録再生部との相互間で前記光記憶媒体を移動させる媒体移動部と、
前記媒体格納部、前記媒体移動部、および前記記録再生部が内部に一列に配置され、それら媒体格納部、媒体移動部、および記録再生部を一体に保持するブレード筐体と、
この光情報記憶装置が複数実装されるシステム筐体に、この光情報記憶装置を着脱自在に接続する接続部とを備えたことを特徴とする光情報記憶装置。
【請求項７】
前記光記憶媒体が、表裏両面に情報記憶が可能なものであり、
前記記録再生部が、更に、
前記光記憶媒体上に光を照射する、該光記憶媒体の表裏両面それぞれ用の複数の光学ヘッドと、
前記複数の光学ヘッドそれぞれによって光が照射される照射位置を、前記記憶媒体の表裏面に垂直な方向から見て互いに非交差の各軌道上で移動させる移動機構とを備えたものであることを特徴とする請求項６記載の光情報記憶装置。
【請求項８】
前記記録再生部が、前記光記憶媒体を回転させ、定常回転数で回転中の該光記憶媒体に対して情報の記録および再生を行うものであるとともに、その記録および再生の動作に必要な所定の準備を、前記光記憶媒体の回転開始から定常回転数への到達までに完了させるものであることを特徴とする請求項６記載の光情報記憶装置。
【請求項９】
前記光記憶媒体が、表裏両面に情報記憶が可能なものであるとともに、正規な回転方向を定められたものであり、
前記記録再生部が、前記光記憶媒体の正規な回転方向を検知し、検知した正規な回転方向に該光記憶媒体を回転させ、回転中の該光記憶媒体に対して情報の記録および再生を行うものであることを特徴とする請求項６記載の光情報記憶装置。
【請求項１０】
前記光記憶媒体が、予め所定位置に所定情報を記憶されたものであり、
前記記録再生部が、前記光記憶媒体の前記所定位置で前記所定情報の読出しを試みることにより正規な回転方向を検知するものであることを特徴とする請求項９記載の光情報記憶装置。
【請求項１１】
前記光記憶媒体は、情報が記録される記録膜が設けられてなるものであるとともに、該記録膜の所定部分が、回転方向の逆転に対して非対称な形状に形成されてなるものであり、
前記記録再生部が、前記記録膜の前記所定部分における形状を参照して正規な回転方向を検知するものであることを特徴とする請求項９記載の光情報記憶装置。
【請求項１２】
前記光記憶媒体が、該光記憶媒体の表裏両面で磁極が相違するような磁石が埋め込まれてなるものであり、
前記記録再生部が、前記磁石の磁極を参照して正規な回転方向を検知するものであることを特徴とする請求項９記載の光情報記憶装置。
【請求項１３】
前記光記憶媒体は、情報が記録される記録膜が設けられてなるものであるとともに、該光記憶媒体の所定部分では、該記録膜が設けられた状態が表裏両面で相違するものであり、
前記記録再生部が、前記所定部分における記録膜の状態を参照して正規な回転方向を検知するものであることを特徴とする請求項９記載の光情報記憶装置。
【請求項１４】
前記光記憶媒体が、各光記憶媒体を相互に区別する固有情報を記憶したＩＣを備えたものであり、
前記媒体移動部が、前記光記憶媒体のＩＣが記憶した固有情報を読む読取器を備えたものであることを特徴とする請求項６記載の光情報記憶装置。
【請求項１５】
前記光記憶媒体が、各光記憶媒体の記憶領域に、その記憶領域の論理的な位置を表す、複数の光記憶媒体に亘って連続する論理アドレスを記されたものであり、
前記媒体格納部が、各光記憶媒体の格納位置と論理アドレスとの対応を表す格納情報を記憶した記憶素子を備えたものであり、
論理アドレスを指定されて、その指定された論理アドレスと同じ論理アドレスが記された記憶領域を有する光記憶媒体を前記記憶素子の格納情報に基づいて見つけて媒体移動部に指示するアドレス制御部を備え、
前記媒体移動部が、アドレス制御部によって指示された光記憶媒体を記録再生部に装填するものであることを特徴とする請求項６記載の光情報記憶装置。
【請求項１６】
前記アドレス制御部は、前記記録再生部に装填された光記憶媒体が、指定された論理アドレスと同じ論理アドレスが記された記憶領域を有さない光記憶媒体であった場合に、前記媒体格納部に格納されている各光記憶媒体の格納位置を確認し、前記記憶素子の格納情報を更新するものであることを特徴とする請求項１５記載の光情報記憶装置。
【請求項１７】
前記ブレード筐体外から前記記憶素子に、前記アドレス制御部を迂回して直接にアクセスするためのアクセス経路を備えたことを特徴とする請求項１５記載の光情報記憶装置。
【発明の詳細な説明】
【技術分野】  本発明は、光によって少なくとも情報再生が行われる光記憶媒体に対し、情報の記録および再生を行う光情報記憶装置、および複数の光情報記憶装置を統合してなる光情報記憶システムに関する。
【背景技術】  インターネット等に代表される通信網上を伝達される、取引情報やホームページのデータなどというようなデータの量は、近年における情報通信産業の急激な発達に鑑みると、近い将来に爆発的に増大することが予想されている。また、通信網上では、ウィルス問題や犯罪などが増加の一途を辿っており、インターネットなどにおいてログ記録などが義務づけられつつある。このような現状および将来予測に対し、情報記憶装置の大容量化が強く求められているが、情報の高速な読み書きが可能な大容量の情報記憶装置の一種であるハードディスクは、増設に多大な費用を要するため、現状は、ハードディスクの容量を超えた情報は、やむを得ず捨てられている状況にある。また、大容量の情報記憶装置の一種である磁気テープ記憶装置は、ハードディスクを越える大容量を低コストで実現することができるが、磁気テープが、情報をシーケンシャルに読み書きするシーケンシャルメディアであるため、情報の入出力速度に難があり、情報の長期保管用としての用途にのみ利用されているのが現状である。
近い将来に予想されているデータ量の爆発的な増大に対処するためには、大量のデータを単に保管するだけでは足りず、例えば、販売情報などといった多量の情報から消費の傾向などを見つけだすデータマイニングの分野や、原子物理学関連における実験データ分析の分野や、指紋・ＤＮＡ情報を使った照合技術の分野や、特許情報検索の分野や、銀行・証券分野や、電子カルテの分野や、ＩＤＣ（Ｉｎｔｅｒｎｅｔ  Ｄａｔａ  Ｃｅｎｔｅｒ）の分野などでは、高度な検索性などを担保するため、ペタバイト級の情報量蓄積と数秒以内の高速アクセス（いわゆるニアラインアクセス）とを両立させることが望まれている。このような要望に応えうる現実的な技術は、現時点ではハードディスクのみであるが、ハードディスクには、次のような欠点がある。
ハードディスクには、上述した、容量の増設に多大な費用を要するという欠点の他、媒体に障害が生じたときの交換費用も高いという欠点や、即時のヘッドロードや熱揺らぎによるエラー増加の監視のために、イナーシャの高い媒体を常に高速回転させ続けなければならないので電力消費が高いという欠点や、装置中に固定された非可換媒体を用いたものであるため機器障害とデータ損失とが一体であり、機器障害時には機器の交換後のデータ再構築に長時間を要して一時的な処理能力低下を招く恐れがあるという欠点や、データ再構築中はデータ保全の冗長性が低下するので、再構築に長時間を要するとシステムダウンの危険が高いという欠点などが存在する。
このような欠点を有するハードディスクに対し、ＭＯやＤＶＤなどに代表される光記憶媒体を用いて情報を記憶する光情報記憶装置は、情報の高速な読み書きが可能であるし、青色レーザダイオードや表面記録方式の開発などといった技術革新によって近い将来に飛躍的な大容量化が期待でき、磁気テープ記憶装置に匹敵する記憶容量の実現も期待されているため、高速かつ大容量の次世代記憶装置として注目されている。また、水ぬれや汚れなどに弱くて、災害時などには大量の保管データが消失する危険性が高い磁気テープに対しても、光記憶媒体は、水ぬれなどに強く、保管寿命も５０年〜１００年と長いので、光情報記憶装置は、長期データ保管のための次世代記憶装置としても利用価値が高い。
このような現状に対して、複数の光記憶媒体を使って、単一の光記憶媒体のようにデータを記録する技術（例えば、特許文献１参照。）や、複数の光記憶媒体を格納場所からドライブにまとめて移送して複数同時にアクセスすることによって情報の高速アクセスおよび高速転送を図る技術（例えば、特許文献２、特許文献３、および特許文献４参照。）などが提案されている。
【特許文献１】        特開平７−９３１１０号公報
【特許文献２】        特開平７−３２０３７３号公報
【特許文献３】        特開平８−２４９７９４号公報
【特許文献４】        特開平８−２６３９２４号公報
しかし、これらの従来より提案されている技術は、単発的な要素技術にすぎず、実際に運用可能な装置として組み上げるに当たっては、装置サイズをコンパクトにまとめることや、容量の拡張性を確保することや、メンテナンス性の向上を図ることなどといった課題が存在する。
【発明の開示】
本発明は、上記事情に鑑み、装置サイズのコンパクト化、容量の拡張性の確保、メンテナンス性の向上などを満たす高記憶容量の光情報記憶装置および光情報記憶システムを提供することを目的とする。
上記目的を達成する本発明の光情報記憶システムは、情報の記録および再生が可能な、光によって少なくとも情報再生が行われるディスク状の光記憶媒体が複数格納された媒体格納部と、光記憶媒体に対して情報の記録及び又は再生を行う記録再生部と、上記媒体格納部と上記記録再生部との相互間で光記憶媒体を移動させる媒体移動部と、上記媒体格納部、上記媒体移動部、および上記記録再生部が内部に一列に配置され、それら媒体格納部、媒体移動部、および記録再生部を一体に保持するブレード筐体とをそれぞれが備えた複数の光情報記憶装置と、
上記複数の光情報記憶装置が実装されるとともに、それら複数の光情報記憶装置を着脱自在に保持するシステム筐体と、
システム筐体に実装された複数の光情報記憶装置それぞれにおける情報の記録及び又は再生を統括する統括部とを備えたことを特徴とする。
このような本発明の光情報記憶システムによれば、ブレード筐体内に媒体格納部と記録再生部と媒体移動部がコンパクトに納められた光情報記憶装置を複数備えており、コンパクトで大容量の記憶システムを構築することができる。また、光記憶媒体や光情報記憶装置を増やすことによって容易に容量を拡張することができ、媒体格納部や光情報記憶装置の着脱や交換によってメンテナンスを容易に行うこともできる。
本発明の光情報記憶システムにおいて、上記統括部が、上記複数の光情報記憶装置に対して情報を分散記憶させるものであるという形態は好適な形態である。
この形態の光情報記憶システムによれば、１つの情報を複数の光情報記憶装置に分散させて同時並行に記録し、あるいは分散記憶された情報を同時並行に再生することができるので、総合的な情報アクセスの速度を向上させることができる。
また、本発明の光情報記憶システムにおいて、上記統括部が、上記複数の光情報記憶装置に対して情報を分散記憶させるとともに、それら複数の光情報記憶装置のうちの１つ以上の光情報記憶装置にはその情報に対する冗長情報を記録させ、分散記憶させた情報の再生時に情報欠落が生じた場合に冗長情報に基づいてその情報を復元するものであるという形態は更に好適な形態である。
このように冗長情報を用意することは、データの安全性向上に貢献するのみならず、ゴミなどによる局所的な読取不良が生じた場合などに冗長情報で不良部分のデータを復元し、読み取り直しの手間を省いてスループットを向上させることにも貢献する。本発明では、可換媒体を用いることで拡張性やメンテナンス性の向上を図っているが、このような可換媒体を用いるとゴミなどが媒体上に存在する可能性が高く、局所的な読取不良も生じやすいと考えられる。また、光記憶媒体の回転速度は、ハードディスクなどにおける回転速度よりも低いため、読み取り直しが生じた場合のスループット低下は大きい。このため、本発明では、冗長情報によるスループット向上は特に効果が高いと期待される。
また、本発明の光情報記憶システムにおいて、上記統括部が、上記複数の光情報記憶装置のうちの少なくとも１つを予備として管理し、その予備の光情報記憶装置以外の光情報記憶装置に故障が生じた場合に、故障が生じた光情報記憶装置に替えてその予備の光情報記憶装置を用いるものであるという形態も好適である。
この形態の光情報記憶システムによれば、光情報記憶装置に故障が生じた場合であっても、予備の光情報記憶装置を替わりに運用することにより、システム全体としての運用を継続することができる。これにより、長時間の無人運転などが可能となる。
さらに、本発明の光情報記憶システムにおいて、上記光情報記憶装置の光記憶媒体に対して入出力される情報を伝達する伝達路と、
上記光情報記憶装置の記録再生部と伝達路との間で情報を一時的に保存する、伝達路による情報の伝達速度よりも速い速度で情報を入出力するバッファとを備えた形態も好適である。
この形態の光情報記憶システムによれば、光情報記憶装置の記録再生部における光記憶媒体の交換に伴うタイムラグを、入力時と出力時の双方においてバッファで吸収することができ、システム外部から見たときにタイムラグを隠すことができる。
上記目的を達成する本発明の光情報記憶装置は、情報の記録および再生が可能な、光によって少なくとも情報再生が行われるディスク状の光記憶媒体に対して情報の記録及び又は再生を行う光情報記憶装置であって、
光記憶媒体が複数格納された媒体格納部と、
光記憶媒体に対して情報の記録及び又は再生を行う記録再生部と、
上記媒体格納部と上記記録再生部との相互間で光記憶媒体を移動させる媒体移動部と、
上記媒体格納部、上記媒体移動部、および上記記録再生部が内部に一列に配置され、それら媒体格納部、媒体移動部、および記録再生部を一体に保持するブレード筐体と、
この光情報記憶装置が複数実装されるシステム筐体に、この光情報記憶装置を着脱自在に接続する接続部とを備えたことを特徴とする。
このような本発明の光情報記憶装置によれば、ブレード筐体内に媒体格納部と記録再生部と媒体移動部がコンパクトに納められており、光記憶媒体を増やすことや光情報記憶装置を複数並べることによって容易に容量を拡張することができ、ブレード筐体内の一端に配置された媒体格納部や光記憶媒体の着脱や交換によってメンテナンスを容易に行うこともできる。
本発明の光情報記憶装置において、
上記光記憶媒体が、表裏両面に情報記憶が可能なものであり、
上記記録再生部が、更に、
光記憶媒体の表裏両面それぞれに対し、互いに同時に光を照射する複数の光学ヘッドと、
前記複数の光学ヘッドそれぞれによって光が照射される照射位置を、前記記憶媒体の表裏面に垂直な方向から見て互いに非交差の各軌道上で移動させる移動機構とを備えたものであるという形態は好適な形態である。
光記憶媒体としていわゆる両面記録型の媒体を用いて、両面に同時にアクセスすることによって、体積の増加を避けつつ、記憶容量およびアクセス速度の向上を図ることができるが、そのような複数の光学ヘッドは、互いの照射光が相手側に当たると誤動作などの原因となる。そこで、照射位置を、互いに非交差の各軌道上で移動させる移動機構を備えることにより、誤動作などを回避することができる。
また、本発明の光情報記憶装置において、上記記録再生部が、光記憶媒体を回転させ、定常回転数で回転中の光記憶媒体に対して情報の記録及び又は再生を行うものであるとともに、その記録及び又は再生の動作に必要な所定の準備を、光記憶媒体の回転開始から定常回転数への到達までに完了させるものであるという形態も好適である。
記録再生部が光記憶媒体に対して情報の記録及び又は再生を行うためには、光記憶媒体上に照射する光の焦点を合わせるフォーカシングや、光記憶媒体上に螺旋状や同心円状に設けられたトラックと光の照射位置との相対距離を保つトラッキングや、光記憶媒体上の記憶領域に付属して記された、記憶領域の論理的な位置を表したアドレスの読取などを、記録及び又は再生の準備として実行する必要がある。また、情報の記録及び又は再生を正常に行うためには、光記憶媒体が記録再生部に載せられて定常回転数で回転した状態で行わなければならないが、上述した準備を、記録再生部が定常回転数に達する前に完了しておくことにより、光記憶媒体の交換時などに発生するアクセス不可能な時間帯を減少させることができる。
更に、本発明の光情報記憶装置において、
上記光記憶媒体が、表裏両面に情報記憶が可能なものであるとともに、正規な回転方向を定められたものであり、
上記記録再生部が、光記憶媒体の正規な回転方向を検知し、検知した正規な回転方向に光記憶媒体を回転させ、回転中の光記憶媒体に対して情報の記録および再生を行うものであるという形態も好適である。
片面のみに情報記憶が可能な光記憶媒体を回転させてアクセスする装置の場合には、常に決められた回転方向にだけ回転させてアクセスすればよく、媒体の表裏が逆の状態で装置に載せられるミスにはそもそも対処しようがないが、媒体の記録面と記録不能な面とを視覚的な手段等で明瞭に区別することができるので、そのようなミスが生じることは少ない。また、表裏両面に情報記憶が可能な光記憶媒体に片面ずつアクセスし、アクセス対象の面を替えるときには媒体の表裏面を返すというタイプの装置の場合にも、常に決められた回転方向にだけ回転させてアクセスすれば、表裏面の両方へのアクセスに対処することができる。
しかし、表裏両面に情報記憶が可能な光記憶媒体に対して両面同時にアクセスする装置の場合には、常に決められた回転方向にだけ媒体を回転させるものであると、媒体の表裏面を逆にして装置に載せた場合には、媒体の表裏面ともにアクセス不能となる。また、媒体の格納数を向上させるためには、ディスク状の媒体を直接媒体格納部に格納する形態が望ましく、そのような形態では、光記憶媒体の表裏面を逆にして格納してしまうミスが生じる可能性は高い。
そこで、正規な回転方向を検知して、その正常な回転方向に媒体を回転させる構成を備えることにより、媒体を表裏が逆の状態で格納してしまうミスにも対処することができる。
このような、正規な回転方向を検知する形態に属する類型としては、
上記光記憶媒体が、予め所定位置に所定情報を記憶されたものであり、
上記記録再生部が、光記憶媒体の上記所定位置で上記所定情報の読出しを試みることにより正規な回転方向を検知するものであるという形態や、
上記光記憶媒体は、情報が記録される記録膜が設けられてなるものであるとともに、記録膜の所定部分が、回転方向の逆転に対して非対称な形状に形成されてなるものであり、
上記記録再生部が、記録膜の上記所定部分における形状を参照して正規な回転方向を検知するものであるという形態や、
上記光記憶媒体が、光記憶媒体の表裏両面で磁極が相違するような磁石が埋め込まれてなるものであり、
上記記録再生部が、その磁石の磁極を参照して正規な回転方向を検知するものであるという形態や、
上記光記憶媒体は、情報が記録される記録膜が設けられてなるものであるとともに、光記憶媒体の所定部分では、記録膜が設けられた状態が表裏両面で相違するものであり、
前記記録再生部が、前記所定部分における記録膜の状態を参照して正規な回転方向を検知するものであるという形態などが考えられ、本発明にはどの形態が採用されてもよい。
更にまた、本発明の光情報記憶装置において、
上記光記憶媒体が、各光記憶媒体を相互に区別する固有情報を記憶したＩＣを備えたものであり、
上記媒体移動部が、光記憶媒体のＩＣが記憶した固有情報を読む読取器を備えたものであるという形態も好適である。
この形態の光情報記憶装置によれば、記録再生部を用いることなく、光記憶媒体の固有情報を確認することができるので、光記憶媒体をアクセス中に次のアクセス対象などを予め確認することや、媒体交換時などに媒体格納部内の光記憶媒体を高速に確認することなどができる。
また、本発明の光情報記憶装置において、
上記光記憶媒体が、各光記憶媒体の記憶領域に、その記憶領域の論理的な位置を表す、複数の光記憶媒体に亘って連続する論理アドレスを記されたものであり、
上記媒体格納部が、各光記憶媒体の格納位置と論理アドレスとの対応を表す格納情報を記憶した記憶素子を備えたものであり、
論理アドレスを指定されて、その指定された論理アドレスと同じ論理アドレスが記された記憶領域を有する光記憶媒体を記憶素子の格納情報に基づいて見つけて媒体移動部に指示するアドレス制御部を備え、
上記媒体移動部が、アドレス制御部によって指示された光記憶媒体を記録再生部に装填するものであるという形態も好適である。
この形態の光情報記憶装置によれば、記憶素子に記憶された格納情報を参照することにより、媒体格納部内に格納された各光記憶媒体の論理アドレスを知ることができるので、例えば媒体格納部を交換した場合などであっても迅速にアクセスを開始することができる。また、論理アドレスは、複数の媒体にまたがって連続に付与されているので、光情報記憶装置の外部からは、連続な論理アドレスが付与された大容量の１媒体と同様なものとしてアクセスすることができる。
このような、媒体格納部に記憶素子を備えた形態の光情報記憶装置において、上記アドレス制御部は、記録再生部に装填された光記憶媒体が、指定された論理アドレスと同じ論理アドレスが記された記憶領域を有さない光記憶媒体であった場合に、媒体格納部に格納されている各光記憶媒体の格納位置を確認し、記憶素子の格納情報を更新するものであることが望ましい。
媒体格納部内の光記憶媒体は、光情報記憶装置から外してメンテナンスをする際などに格納位置が変わってしまう可能性があり、その場合に、間違った格納情報をそのまま使うと情報破壊などの原因となる。そこで、格納情報を更新することによって情報破壊などを未然に防ぐことが望ましい。
また、媒体格納部に記憶素子を備えた形態の光情報記憶装置では、
上記ブレード筐体外から上記記憶素子に、アドレス制御部を迂回して直接にアクセスするためのアクセス経路を備えることも望ましい。
このようなアクセス経路を備えることにより、光情報記憶装置の電源が切れた状態であっても、そのアクセス経路を用いて外部から格納情報を確認して論理アドレス等を知ることができる。
【図面の簡単な説明】  図１は、本発明の光情報記憶システムおよび光情報記憶装置の各実施形態を示す外観図である。
図２は、マガジンの詳細を示す図である。
図３は、光ディスクを示す図である。
図４は、光ディスクの部分拡大図である。
図５は、光ディスク上のトラック形状を表す概念図である。
図６は、ブレードのハードウェア構造を表す図である。
図７は、ブレードの機能構造を表す機能ブロック図である。
図８は、システムＭＯの機能構造を表す機能ブロック図である。
図９は、情報記録時におけるバッファのデータ蓄積量を示すグラフである。
図１０は、情報再生時におけるバッファのデータ蓄積量を示すグラフである。
図１１は、ドライブのハードウェア構造を表す図である。
図１２は、キャリッジの動きを表す図である。
図１３は、論理アドレス付与動作を表すフローチャートである。
図１４は、ドライブの準備動作を表すタイミングチャートである。
図１５は、光ディスクの第２例における正規な回転方向を検知する方法を表す原理図である。
図１６は、光ディスクの第３例を表す図である。
図１７は、分散記憶のためのデータ処理を表す概念図である。
図１８は、分散記憶時における集合システム内でのデータの流れを示す図である。
図１９は、情報記録時におけるブレード制御動作を表すフローチャートである。
図２０は、情報再生時におけるブレード制御動作を表すフローチャートである。
【発明を実施するための最良の形態】  以下、本発明の実施形態について説明する。なお、以下の説明では、「情報」と「データ」とを区別せずに用いる場合がある。
図１は、本発明の光情報記憶システムおよび光情報記憶装置の各実施形態を示す外観図である。
この図１には、本発明にいう光記憶媒体に一例として光磁気（ＭＯ）ディスクを用いる、本発明の光情報記憶装置の一実施形態に相当するブレード装置１０と、複数（この図では１０台）のブレード装置１０が組み込まれた、本発明の光情報記憶システムの一実施形態に相当する集合システム２０が示されている。
ブレード装置１０の筐体１１は、ＭＯディスクの直径の３倍を越す長さと、ＭＯディスクの直径よりもやや大きい幅（この図では高さ）と、ＭＯディスクの直径よりも大幅に小さい厚み（この図では幅）とを有しており、この筐体１１の一端には、ＭＯディスクが複数枚格納されたマガジン１２が着脱自在に配置されている。
集合システム２０の筐体２１には、複数のブレード装置１０が抜き差し自在に実装されており、各ブレード装置１０のマガジン１２は、ブレード装置１０が集合システム２０の筐体２１に差し込まれた状態でも着脱自在となっている。また、集合システム２０には、複数のブレード装置１０それぞれにおける情報の記録及び再生を統括する制御装置２２も備えられている。
このような集合システム２０は、筐体２１に複数のブレード装置１０がコンパクトに収まっており、コンパクトで大容量の記憶システムとなっている。また、ＭＯディスクやブレード装置１０を増やすことによって容易に容量を拡張することができ、マガジン１２やブレード装置１０の着脱や交換によってメンテナンスを容易に行うこともできる。
図２は、マガジンの詳細を示す図である。
この図２のパート（Ａ）には、マガジン１２内に複数のＭＯディスク１３が格納されている状態を表す透視図が示されており、一点鎖線で囲まれた範囲Ｐの拡大断面図が図２のパート（Ｂ）に示されている。
各ＭＯディスク１３上には、情報を記憶する記憶領域が、セクタと称される単位に分割されて設けられており、各セクタは以下の表１に示す構造を有している。
【表１】
2004090884.tif 000003
各セクタには、ＭＯディスク１３の作成時に凹凸ピットやウォブルによって固定的情報が書き込まれたヘッダ部と、光と磁場によってデータの書き換えが可能なデータ部が存在し、ヘッダ部に記された情報には、ＭＯディスク１３上における各セクタの物理的な位置を表す物理アドレスが含まれている。また、データ部には、各セクタの論理的な位置を表す、マガジン１２内の複数のＭＯディスク１３に亘って連続した論理アドレスと、各セクタにおける本来の記憶対象であるユーザデータが書き込まれる。
マガジン１２内には、本発明にいう記憶素子の一例に相当する着脱自在なＦＲＡＭ１４が挿入されており、このＦＲＡＭ１４の端子１４ａは、マガジン１２内に設けられた内部端子１２ａと接触し、その内部端子１２ａと繋がった外部端子１２ｂと電気的に接続される。この外部端子１２ｂは、図１に示すブレード装置１０にマガジン１２が装着される際に、ブレード装置１０の内部配線と電気的に接続され、これにより、ブレード装置１０によるＦＲＡＭ１４の読み書きが可能となる。
ＦＲＡＭ１４には、マガジン１２内における各ＭＯディスク１３の格納位置と、各ＭＯディスク１３に割り振られた論理アドレスの範囲が以下の表２に示すような形式で記録される。
【表２】
2004090884.tif 000004
この表２に示されたデータは、本発明にいう格納情報の一例に相当し、マガジン１２内のＭＯディスク１３に対する情報アクセス時に、ブレード装置１０によって参照される。ここには、８つの格納位置に格納された８つのＭＯディスク１３に論理アドレスが８分割されて割り振られている例が示されており、ＭＯディスク１３の格納順と論理アドレスの順とは相違している。また、表２に示す例では、各ＭＯディスクに固有な媒体番号も記録されている。このように割り振られた論理アドレスが用いられて、複数のＭＯディスク１３の記憶領域が１媒体上の記憶領域であるかのように管理される。
図３は、ＭＯディスクの構造を示す図であり、図４は、図３中の部分Ｑを表す拡大図である。
本実施形態では、表裏両面に情報を記録することができるタイプのＭＯディスク１３が用いられており、このＭＯディスク１３の記録領域Ｓには、表裏両面に記録膜１３ａが設けられている。表裏両面それぞれの記録膜１３ａには、表裏両面それぞれ用の光Ｌが照射されて情報の記録や再生が行われる。
ＭＯディスク１３の最内周のクランプ領域Ｕは、後述するドライブに装填された際に挟持される領域である。記録領域Ｓと記録領域Ｓとの間の中間領域Ｒには、上述した媒体番号などといった、ＭＯディスク１３を相互に区別する固有情報を記憶したＩＣ１３ｃと、表裏両面で磁極が異なる磁石１３ｄが埋め込まれている。
本実施形態で用いられるＭＯディスク１３には、矢印Ｆによって示されるような正規な回転方向が決められており、表裏のどちらの面に対するアクセスの際にも、その矢印Ｆによって示される正規な回転方向に回転した状態でアクセスが行われる。中間領域Ｒに埋め込まれた磁石１３ｄは、その正規な回転方向を判定するために用いられる。
ＭＯディスク１３の表裏両面ぞれぞれには、螺旋状のトラック１３ｅ，１３ｆが設けられており、本実施形態ではトラック１３ｅ，１３ｆ上に光Ｌが照射される。また、後で詳述するように、表裏両面ぞれぞれ用の光Ｌは、互いに距離Ｄだけ隔たった軌道上を移動する。
図５は、ＭＯディスク上のトラック形状を表す概念図である。
この図５のパート（Ａ）には、ＭＯディスクの表面に設けられたトラック１３ｅが示されており、このトラック１３ｅは右回りで巻き込んだ螺旋形状を有している。
これに対し、図５のパート（Ｂ）には、ＭＯディスクの裏面に設けられたトラック１３ｆが示されており、このトラック１３ｆは左回りで巻き込んだ螺旋形状を有している。
従って、図３の矢印Ｆが示す正規な回転方向に回転するＭＯディスクにアクセスすると、表裏両面ともに、ＭＯディスクの外周側から内周側に向かって順次に情報記録や情報再生が行われることとなり、ＭＯディスクの表裏で同時にアクセスが行われるときの制御が容易である。
なお、図３に示すＭＯディスク１３は、記録領域Ｓ内の所定位置に、欠陥セクタのアドレスや媒体容量などといった、ＭＯディスク１３に対するアクセスに必要な規定の情報を記憶しており、この規定の情報は、ＭＯディスク１３が正規な回転方向に回転しているときにだけ読み出すことができ、逆転している場合には読出しは不可能である。
図６は、ブレード装置のハードウェア構造を表す図である。
図１にも示したブレード装置１０は、筐体１１内に、上述したマガジン１２と、ＭＯディスク１３に対して情報記録及び情報再生を行うドライブ１６とを備えており、マガジン１２とドライブ１６との間には、それらの相互間でＭＯディスク１３を移動させるチェンジャ１５を備えている。ドライブ１６は、本発明にいう記録再生部の一例に相当し、チェンジャ１５は、本発明にいう媒体移動部の一例に相当する。
このように、ブレード装置１０は、マガジン１２とチェンジャ１５とドライブ１６とを筐体１１内にコンパクトに納めたものであり、マガジン１２内に空きがある範囲では、ＭＯディスク１３を増やすことによって容易に記憶容量を拡張することができる。また、マガジン１２やＭＯディスク１３の着脱や交換によってメンテナンスを容易に行うこともできる。
ブレード装置１０の、マガジン１２とは逆の一端には、ブレード装置１０と外部とのデータ移送を担うインターフェースのコネクタ１７ａが備えられており、ブレード装置１０が、図１に示す集合システム２０の筐体２１に差し込まれると、このコネクタ１７ａは集合システム２０側のコネクタと接合する。このコネクタ１７ａは本発明にいう接続部の一例に相当する。
チェンジャ１５は、ＭＯディスク１３をマガジン１２に対して抜き差しする機能、ＭＯディスク１３を図の上下方向に移動させる機能、およびＭＯディスク１３をドライブ１６に対して装填し開放する機能を有している。また、チェンジャ１５には、ＭＯディスク１３に埋め込まれた上記ＩＣに記憶されている情報を読み出すＩＣセンサ１５ａが備えられており、ドライブ１６を用いることなくＭＯディスク１３の固有情報を確認することができるので、１つのＭＯディスク１３に対するアクセスの最中に次のアクセス対象などを予め確認することや、マガジン１２を交換した時などにマガジン１２内のＭＯディスク１３を高速に確認することなどができる。
なお、図１で説明したように、本実施形態における筐体１１は、ＭＯディスク１３の３倍以上の長さを有するが、チェンジャ１５とドライブ１６は、チェンジャ１５上のＭＯディスク１３とドライブ１６に装填されたＭＯディスク１３とが互いに重なりを生じるような位置関係に配置することができ、本発明にいうブレード筐体の長さは、光記憶媒体の直径の２．５倍以上であることが好適である。
図７は、ブレードの機能構造を表す機能ブロック図である。
上述したように、ブレード装置１０は、マガジン１２とチェンジャ１５とドライブ１６とを備えており、更に、チェンジャ１５やドライブ１６を制御する制御部１８と、ブレード装置１０と外部とのデータ移送を担うインターフェース１７も備えられている。このインターフェース１７は、ＩＥＥＥ１３９４、ＵＳＢ、シリアルＡＴＡなどといった周知の高速なシリアル系インターフェースのなかから選択されたものであり、詳細については説明を省略する。
ドライブ１６には、ＭＯディスクを保持して回転させるスピンドルモータ１６ａと、ＭＯディスクに対して光を照射して情報の記録や再生を行うヘッド１６ｂが備えられており、ヘッド１６ｂは、ＭＯディスクの第１面と第２面（表裏面）それぞれ用に２つ備えられている。また、ドライブ１６には、第１面と第２面それぞれ用のリードライトチャネル１６ｃと、バッファとして機能するファーストイン・ファーストアウト（ＦＩＦＯ）メモリ１６ｄも備えられている。
制御部１８は、インターフェース１７を介した、図示を省略した経路によって装置外から論理アドレスを指定されると、その指定された論理アドレスと同じ論理アドレスが記されたセクタを有するＭＯディスクを、マガジン１２内のＦＲＡＭ１４の格納情報に基づいて見つけて、その見つけたＭＯディスクをチェンジャ１５に指示する。チェンジャ１５は、制御部１８から指定されたＭＯディスクをマガジン１２から取り出してドライブ１６に装填する。つまり、制御部１８は、ＦＲＡＭ１４の格納情報に基づいてアクセス対象のＭＯディスクを見つけることができるので、例えばマガジン１２を交換した場合などであっても迅速にアクセスを開始することができる。
また、制御部１８は、ドライブ１６によるアクセスや、ＩＣセンサ１５ａによる固有情報の読取りなどによって、ドライブ１６に装填されたＭＯディスクが、指定された論理アドレスと同じ論理アドレスが記されたセクタを有さないＭＯディスクであることがわかったときには、マガジン１２内に格納されている各ＭＯディスクの格納位置を、ドライブ１６やＩＣセンサ１５ａによって再確認し、ＦＲＡＭ１４の格納情報を更新する。マガジン１２内のＭＯディスクは、マガジン１２をブレード装置１０から外してメンテナンスした場合などに格納位置が変わってしまう可能性があり、その場合に、間違った格納情報をそのまま使うとデータ破壊などの原因となるが、格納情報を更新する機能が備わっていることによって、データ破壊などを未然に防ぐことができる。
ブレード装置１０には、ブレード装置１０外からＦＲＡＭ１４に、制御部１８を迂回して直接にアクセスするためのアクセス経路１９が設けられており、ブレード装置１０の電源が切れている場合であっても、このアクセス経路１９を介してＦＲＡＭ１４の格納情報を外部から確認することができる。
図８は、集合システムの機能構造を表す機能ブロック図である。
集合システム２０には、上述したブレード装置１０が複数実装されており、各ブレード装置１０のインターフェースを介して、電気的なスイッチによる高速切替が可能なデータ入出力装置２３に接続されている。このデータ入出力装置２３は、図１にも示した制御装置２２によって切替が制御されており、制御装置２２は、メモリ制御部２２ａによって、各ブレード装置１０のマガジンに備えられたＦＲＡＭ１４にアクセスして格納情報を確認し、その格納情報に基づいて切替を制御する。また、制御装置２２は、サーバなどといった上位システムとのデータ入出力を担う上位インターフェース２４に接続されており、そのような上位システムとのデータ入出力の同期をとるためにバッファメモリ２２ｂを備えている。
このバッファメモリ２２ｂや各ブレード装置１０のＦＩＦＯメモリは、本発明にいうバッファの一例に相当し、ＦＩＦＯメモリに対するブレード装置１０のインターフェースおよびデータ入出力装置２３や、バッファメモリ２２ｂに対する上位インターフェース２４は、本発明にいう伝達路の一例に相当しており、これらのバッファは、それらの上流側の伝達路によるデータ伝達速度（最高速度）よりも速いデータ入出力速度を有する。このため、以下説明するように、システム内や装置内で生じる、媒体交換やシーク動作に伴うデータ入出力のタイムラグを、伝達路よりも上位側に対して隠し、連続なデータ入出力が行われているように見せることができる。
図９は、情報記録時におけるバッファのデータ蓄積量を示すグラフであり、図１０は、情報再生時におけるバッファのデータ蓄積量を示すグラフである。
これらの図の横軸は時間を表し、縦軸はデータ蓄積量を表している。
情報記録時には、先ず第１の時間領域Ｔ１で、記録対象となるＭＯディスクがドライブに装填され、上位システムから送られてきたデータはバッファに蓄積される。
次に第２の時間領域Ｔ２では、ＭＯディスクにデータが書き込まれ、バッファに蓄積されたデータが減少する。バッファが空になると所定の待ち時間ΔＴの間、書込みが中断されてバッファにデータが蓄積され、その後書込みが再開される。従って第２の時間領域Ｔ２では、バッファにおけるデータ蓄積量は基本的に常時０となっている。
その後、第３の時間領域Ｔ３では、記録対象のＭＯディスクが交換されてデータがバッファに蓄積され、第４の時間領域Ｔ４では、第２の時間領域Ｔ２と同様にデータ記録が実行され、第５の時間領域Ｔ５では、第３の時間領域Ｔ３と同様にＭＯディスクが交換される。このような手順を繰り返すことによって、記録データは上位システムから途切れなくバッファに入力されることとなる。
情報再生時には、先ず第６の時間領域Ｔ６で、再生対象となるＭＯディスクがドライブに装填され、このときは再生不可能であるのでバッファは空である。
次に第７の時間領域Ｔ７では、ＭＯディスクのデータが再生され、バッファにデータが蓄積される。バッファが満杯になると所定の待ち時間ΔＴの間、再生が中断されてバッファのデータが減少し、その後書込みが再開される。従って第７の時間領域Ｔ７では、バッファにおけるデータ蓄積量は基本的に常時満杯となっている。
その後、第８の時間領域Ｔ８では、再生対象のＭＯディスクが交換されてデータがバッファから流出し、第９の時間領域Ｔ９では、第７の時間領域Ｔ７と同様にデータ再生が実行され、第１０の時間領域Ｔ１０では、第８の時間領域Ｔ８と同様にＭＯディスクが交換される。このような手順を繰り返すことによって、記録データは上位システムに途切れなくバッファから出力されることとなる。
このように、データ記録時とデータ再生時との双方において、上位システムから見たときのタイムラグを隠すことができる。
図１１は、ドライブのヘッド近辺の構造を表す図である。
ドライブ１０には、２つのヘッド１６ｂが備えられており、この図１１には、それら２つのヘッド１６ｂ近辺の構造が示されている。２つのヘッド１６ｂは、スピンドルモータ１６ａによって保持されて回転されるＭＯディスク１３を挟んで配置されており、各ヘッド１６ｂは、レーザダイオードや光検知素子や各種の光学素子などを内蔵し、記録再生用のレーザ光の発生と再生データの検知とを担う固定アセンブリ３２と、所定のレール上を移動してＭＯディスク１３の所望の位置にレーザ光を照射し、ＭＯディスク１３によって反射された光を固定アセンブリ３２へと返す移動アセンブリ（キャリッジ）３１とで構成されている。更に、移動アセンブリ（キャリッジ）３１は、キャリッジベース３３と、レーザ光を反射する立ち上げミラー３４と、レーザ光をＭＯディスク１３上に集光する集光レンズ３５と、集光レンズ３５を動かすレンズアクチュエータ３６を備えている。
図１２は、キャリッジの動きを表す図である。
上述したように、キャリッジ３１はレール３７上を移動し、それに伴って、キャリッジ３１がＭＯディスク１３上に光を集光する集光位置は軌道Ｖ上を動く。
２つのヘッドの各キャリッジ３１用のレール３７は、ＭＯディスク１３の面に垂直な方向から見て、互いに平行にずれており、各キャリッジ３１が光を集光する各集光位置は、図４に示す距離Ｄだけ互いに離れている。これにより、２つのヘッドで同時にＭＯディスク１３に光を照射する場合であっても、互いの照射光が相手に当たることによる誤動作などを回避することができる。なお、レール３７の配置としては、この図１２に示す例で採用された、互いに平行な配置のみならず、ＭＯディスク１３の中心を向いた放射状の配置などといった配置も採用可能である。
ドライブはＭＯディスク１３に対してデータの記録や再生を行うほかに、上述した表１に示した論理アドレスの記録や読出しも行う。論理アドレスは、最初にブレード装置が立ち上げられたときや、マガジン内のＭＯディスクが新たなＭＯディスクに交換された場合や、新たなＭＯディスクが追加された場合に、以下説明する論理アドレス付与動作が実行されることにより各ＭＯディスクに付与される。
図１３は、論理アドレス付与動作を表すフローチャートである。
この論理アドレス付与動作は、マガジンがブレード装置に差し込まれる度に開始され、まず、各ディスクの取り出し（ステップＳ１１）と、各ディスクのＩＣに記憶された固有情報に含まれている媒体番号の確認（ステップＳ１２）が行われる。ここで確認された各媒体番号が、上記表２に示すようにＦＲＡＭに記憶された格納情報に含まれた媒体番号と全て一致している場合には、この論理アドレス付与動作は、この時点で終了する。
媒体番号の確認（ステップＳ１２）が行われた結果、格納情報に含まれた媒体番号と異なる媒体番号が見つかった場合には、その媒体番号を有するＭＯディスクがドライブ内に装填され（ステップＳ１３）、そのＭＯディスク用の論理アドレス範囲が決定され、各セクタの先頭部分に論理アドレスが書き込まれる（ステップＳ１４）。そして、マガジン内のＦＲＡＭに格納情報が記録され、あるいは更新されて（ステップＳ１５）論理アドレス付与動作が終了する。
このように論理アドレスが付与された後は、図７に示す制御部１８がチェンジャ１５に指定したＭＯディスクがドライブ１６に装填されて記録や再生が行われるが、ドライブ１６では、その記録や再生に先立って、以下説明する準備動作を完了する必要がある。
図１４は、ドライブの準備動作を表すタイミングチャートである。
この図の横軸は時間を表しており、縦軸はＭＯディスクの回転数を表している。
ドライブ内にＭＯディスクが装填されると、スピンドルモータによるＭＯディスクの回転駆動が開始され、曲線Ｇが示すように時間の経過とともに回転数が上昇する。回転開始直後の時間領域Ｔ１１では、図３の矢印Ｆが示す正規の回転方向にＭＯディスクが回転しているか否かが、図３に示すようにＭＯディスクに埋め込まれた磁石１３ｄの磁極を参照することによる回転方向の検知と、欠陥セクタのアドレスや媒体容量などといった規定の情報を参照することによる回転方向の検知とが用いられて総合的に判断され、逆方向が正規の回転方向であると判断された場合には、曲線Ｇ’が示すように、ＭＯディスクの回転方向が反転される。本実施形態で用いられているような、表裏両面に情報記憶が可能なＭＯディスクは、表裏両面に記録膜が設けられているために、表裏のデザイン的な差違が小さく、ＭＯディスクをマガジンから取り出してメンテナンスしたときなどに、表裏面を逆にしてマガジンに格納してしまうミスが生じる可能性は高い。そこで、上述したように正規な回転方向を判断して、その正常な回転方向に媒体を回転させることによって、表裏が逆の状態で格納された場合にも対処することができる。
ところで、ここに示した例では、ＭＯディスクに埋め込まれた磁石などによって正規な回転方向が検知されるが、正規な回転方向を検地する方法としては、別の方法も考えられ、その別の方法について以下説明する。
図１５は、ＭＯディスクの第２例における正規な回転方向を検知する方法を表す原理図である。
ここに示す第２例のＭＯディスク１３’には、図１５のパート（Ａ）に示すように、記録膜１３ａに、３つの切り欠きＰ１，Ｐ２，Ｐ３が設けられており、この３つの切り欠きＰ１，Ｐ２，Ｐ３は、本発明にいう「回転方向の逆転に対して非対称な形状」の一例を構成している。即ち、この３つの切り欠きＰ１，Ｐ２，Ｐ３の配置は、ＭＯディスク１３’の回転方向の逆転に対して非対称となる配置になっており、この切り欠きＰ１，Ｐ２，Ｐ３が配置されているところにキャリッジを移動させて光を照射すると、図１５のパート（Ｂ）および図１５のパート（Ｃ）に示すようなパルスパターンの反射光が生じる。図１５のパート（Ｂ）に示すパターンが、正規な回転方向にＭＯディスク１３’が回転した場合に生じるパターンであるとすると、図１５のパート（Ｃ）に示すパターンは、正規な回転方向とは逆の方向にＭＯディスク１３’が回転した場合に生じるパターンとなる。このように、反射光のパターンによって切り欠きＰ１，Ｐ２，Ｐ３の配置が参照され、正規な回転方向が検知されることとなる。
なお、本発明にいう「回転方向の逆転に対して非対称な形状」としては、例えば、幅が異なる切り欠きが非対称に配置された形状なども考えられる。
図１６は、ＭＯディスクの第３例を表す図である。
ここに示す第３例のＭＯディスク１３”では、図３に示す第１例のＭＯディスク１３における記憶領域Ｓに対応する領域Ｓ１の表裏両面に記録膜が設けられており、その領域Ｓ１の内側の領域Ｓ２には、片面のみに記録膜が設けられている。つまり、領域Ｓ２は、反発明にいう「記録膜が設けられた状態が表裏両面で相違する」部分の一例に相当する。
このように、領域Ｓ２には、片面のみに記録膜が設けられているため、キャリッジを領域Ｓ２に移動させると、記録膜が設けられている方の面では光の焦点が記録膜に当たって強い反射光が生じ、これに対して記録膜が設けられていない方の面では、光の焦点の調整範囲内に記録膜が存在しないために、反射光は大幅に小さいものとなる。
このように、反射光強度によって記録膜の状態が参照されて、ＭＯディスク１３”の表裏が判定され、正規な回転方向が検知されることとなる。
なお、この第３例では、領域Ｓ２で片面のみに記録膜が設けられているが、本発明にいう「記録膜が設けられた状態が表裏両面で相違するもの」とは、例えば、領域Ｓ２で、一方の面には全面に記録膜が設けられ、他方の面にはストライプ状に記録膜が設けられているものであってもよい。
図１４の例に戻って説明を続ける。
以下では、最初の回転方向が正規な回転方向に一致していたものとして説明を続ける。
回転方向判断の時間領域Ｔ１１に続く時間領域Ｔ１２では、図１１に示すレンズアクチュエータ３６によって集光レンズ３５が動かされて、集光レンズ３５によって集光された光の焦点がＭＯディスクの表面に合わせられる。その後は、この焦点があった状態が維持される。
次の時間領域Ｔ１３では、図４に示すトラック１３ｅ，１３ｆ上を光の焦点がなぞるように制御するいわゆるトラッキングが行われ、その後の時間領域Ｔ１４で、現在光の焦点がなぞっている位置のセクタの論理アドレスが読み込まれて、指定された論理アドレスのところまでキャリッジの移動（シーク）が行われる。
その後の、ＭＯディスクの回転数が定常回転数に達するまでの時間領域Ｔ１５では、ＭＯディスクの一回転毎にトラックジャンプが行われて、指定された論理アドレスを有するセクタの位置で待機状態となる。そして、ＭＯディスクの回転数が定常回転数に達すると記録や再生が開始される。このように、記録や再生の準備を、ＭＯディスクが定常回転数に達する前に完了しておくより、ＭＯディスクの交換によって発生するアクセス不可能な時間帯を減少させることができる。
ブレード装置における情報の記録や再生は、１枚のＭＯディスクをアクセス対象とする記憶装置における記録や再生と本質的に同じ方法で行われるが、集合システムとしては、情報を複数のブレード装置に分散して記憶させることにより、情報のアクセス速度の向上が図られている。
図１７は、分散記憶のためのデータ処理を表す概念図である。
この図には、集合システムに対して上位システムから送られてくる多数の単位データ４１が示されており、これらのデータは、矢印ＩＮ１，ＩＮ２，…，ＩＮＭが示すように順次に上位システムから送られてくる。そして、８つの単位データ４１に対して１つのパリティデータ４２が集合システム内で付加される。このパリティデータ４２を参照すると、８つの単位データ４１のうちの１つが壊れた場合であっても復活させることができる。
このような、８つの単位データ４１と１つのパリティデータ４２は、図８に示すバッファメモリ２２ｂに一旦蓄積され、そのバッファメモリ２２ｂから、矢印ＯＵＴ１，ＯＵＴ２，…，ＯＵＴ９が示すように、９つのブレード装置の各ＦＩＦＯメモリに分散されて送られ、各ブレード装置に記録される。つまり、９つのブレード装置は、８つの単位データ４１のうちの１番目の単位データ４１のみを記憶するものや、パリティデータ４２のみを記憶するものなどというように役割分担がなされている。このように９つのブレード装置にデータが分散されることにより、９つのブレード装置で同時並行にデータ記録やデータ再生が行われることとなり、集合システム全体としてのデータ入出力の速度が向上する。また、入力データが入力順にそのままＭＯディスク上に記録される場合と比較すると、ＭＯディスクがゴミなどによって傷ついた場合には、入力データが入力順に記録される場合には、上述した８つの単位データ４１のうちの複数の単位データ４１が同時に破壊されてしまってパリティデータ４２では回復不可能となる可能性が高いが、上述したように分散されて記憶された場合には、たとえ、１つのブレード装置のデータが全て消失してしまった場合であっても、元のデータを復活させることができる。つまり、データを分散記憶させることによってデータの安全性は飛躍的に高まる。
図１８は、分散記憶時における集合システム内でのデータの流れを示す図である。
この図１８には、図８にも示したバッファメモリ２２ｂとデータ入出力装置２３が示されており、バッファメモリ２２ｂは、パリティ付加メモリ２２ｃとデータマトリクス変換メモリ２２ｄとで構成されている。上位システムから集合システムに送られてきたデータはバッファメモリ２２ｂのパリティ付加メモリ２２ｃに入力され、このパリティ付加メモリ２２ｃによって、上述したパリティデータが付加される。その後、データマトリクス変換メモリ２２ｄへと送られて、図１７の例で言うと８つの単位データ４１と１つのパリティデータ４２で１行となる９列の行列として蓄積され、９列それぞれのデータがデータ入出力装置２３を介して９つのブレード装置それぞれのＦＩＦＯメモリに送られる。
このように、集合システムでは、情報が９つのブレード装置に分散記憶されるが、図１に示すように、本実施形態では、集合システム２０に１０台のブレード装置１０が実装されており、分散記憶に用いられない１台のブレード装置は、集合システム２０によって予備の装置として管理される。以下、１０台のブレード装置１０を管理する集合システム２０の制御動作について説明する。
図１９は、情報記録時におけるブレード制御動作を表すフローチャートである。
情報記録時には、まず、上位装置（システム）からデータを受け取り（ステップＳ２１）、その後、上述したように、そのデータにパリティデータを付加し、ブレード台数（ここでは９台）でデータを分割して、各ブレード装置のＦＩＦＯメモリに転送する（ステップＳ２２）。ここで、ＦＩＦＯメモリへのデータ転送が全てのブレード装置について正常に完了した場合（ステップＳ２３：ＹＥＳ）には、上記ステップＳ２１およびステップＳ２２を繰り返す。
一方、ＦＩＦＯメモリへのデータ転送に失敗したブレード装置がある場合（ステップＳ２３：ＮＯ）には、データ転送に失敗したブレード装置を障害のあるブレード装置と見なして予備のブレード装置に切り替える（ステップＳ２４）。このとき、上位装置（システム）には、障害が発生した旨を示すアラームを通知する。その後は、上記ステップＳ２１に戻って上記手順をやり直す。
このように、予備のブレード装置を備えた集合システムでは、ブレード装置に故障が生じた場合であっても、予備のブレード装置を替わりに運用することにより、システム全体としての運用を継続することができる。これにより、長時間の無人運転などが可能となる。
図２０は、情報再生時におけるブレード制御動作を表すフローチャートである。
情報再生時には、まず、各ブレード装置に分散記憶されているデータが集合システムのバッファメモリに転送され、全てのブレード装置からの転送が正常に完了した場合（ステップＳ３１：ＹＥＳ）には、パリティデータによるデータチェックを行った上で、パリティデータの除去あるいはパリティデータによるデータ修復を行い、分割されていたデータを元の順番に再構成する（ステップＳ３２）。再構成したデータは、上位装置（システム）に送られる（ステップＳ３３）。その後は、ステップＳ３１に戻って情報再生が続けられる。
一方、各ブレード装置から集合システムのバッファメモリへのデータ転送時に、転送に失敗したブレード装置がある場合（ステップＳ３１：ＮＯ）には、データ転送に失敗したブレード装置を障害のあるブレード装置と見なして切り離す（ステップＳ３４）。このときも、上位装置（システム）には、障害が発生した旨を示すアラームを通知する。その後、残りの正常なブレード装置からのデータに基づいてデータ修復を行い、データを再構成して（ステップＳ３２）上位装置（システム）に送る（ステップＳ３３）。その後は、上記と同様にステップＳ３１に戻って情報再生が続けられる。
以上で、本発明の実施形態についての説明を終了する。
なお、上記では、本発明にいう光記憶媒体の一例としてＭＯディスクが示されているが、本発明にいう光記憶媒体はＤＶＤなどであってもよい。
また、上記では、本発明にいう記憶素子の一例としてＦＲＡＭが示されているが、本発明にいう記憶素子は、ＩＣメモリなどであってもよい。また、この記憶素子としては、市販の記憶素子を用いてもよく、あるいは本発明に用いるために専用に開発された記憶素子を用いてもよい。
また、上記では、１台のブレード装置が予備として用いられる例が示されているが、本発明の光情報記憶システムは、複数の光情報記憶装置を予備として用いるものであってもよい。
【図１】
2004090884.tif 000005
【図２】
2004090884.tif 000006
【図３】
2004090884.tif 000007
【図４】
2004090884.tif 000008
【図５】
2004090884.tif 000009
【図６】
2004090884.tif 000010
【図７】
2004090884.tif 000011
【図８】
2004090884.tif 000012
【図９】
2004090884.tif 000013
【図１０】
2004090884.tif 000014
【図１１】
2004090884.tif 000015
【図１２】
2004090884.tif 000016
【図１３】
2004090884.tif 000017
【図１４】
2004090884.tif 000018
【図１５】
2004090884.tif 000019
【図１６】
2004090884.tif 000020
【図１７】
2004090884.tif 000021
【図１８】
2004090884.tif 000022
【図１９】
2004090884.tif 000023
【図２０】
2004090884.tif 000024
【国際調査報告】
2004090884.tif 000025
2004090884.tif 000026
2004090884.tif 000027
2004090884.tif 000028